(57)【要約】【課題】  屋外で使用されるケーブル先端に設けられたコネクタのコネクタキャップのケーブル取付構造において、取り扱い環境において頑丈であり、製造上の組立作業性、品質信頼性、及び取扱い上の安全性を向上させことが可能なコネクタキャップのケーブル取付構造を提供する。【解決手段】  ケーブル連結金具１０６をケーブル１０１に取り付ける際には、まず、ケーブルクランプ１１のネジ止め用穴１１ａの付いた重なり部分を開き、ケーブル１０１に挟み込んだ後、ネジ１２の先端をケーブルクランプ１１のネジ止め用穴１１ａに片側から差し込み、ネジ止め用穴１１ａの反対側からとび出たネジ１２の先端に座金１３、ケーブル連結金具１０６、カラー１６、バネ座金１４の順に挿入し、ナット１５で締め付けることでケーブル１０１に固定される。【選択図】      図５
2006278211.tif 000002
【特許請求の範囲】
【請求項１】
ケーブル先端に設けられたコネクタを被覆するコネクタキャップのケーブル取付構造であって、
コネクタキャップと、ケーブルを弾性的に挟み込んで保持するケーブルクランプと、前記コネクタキャップに片端が固定され、もう一方の端に前記ケーブルクランプとの連結手段を有するロープと、前記ケーブルに前記ケーブルクランプを固定するとともに、前記連結手段を前記ケーブルクランプに回転可能に固定する固定手段と、を備えたことを特徴とするコネクタキャップのケーブル取付構造。
【発明の詳細な説明】
【技術分野】
【０００１】
本発明は、屋外にて使用される無線機や通信機器などの通信ケーブルや電線ケーブルなどのケーブルの先端に設けられたコネクタに塵埃や傷が付かないように被覆されるコネクタキャップに係り、特に、ケーブル本体に確実に固定することができ、ケーブルの配線作業時や機器の運用中におけるコネクタキャップの脱落防止及びケーブルの取扱い上での安全性に有効なコネクタキャップのケーブル取付構造に関するものである。
【背景技術】
【０００２】
屋外で無線機や通信機器などの配線に使用される通信ケーブルや電線ケーブルなどのケーブルは、無線機本体などに配設されたコネクタ、或いは、別のケーブルのコネクタに接続するためのコネクタを先端に備えており、ケーブルの先端に設けられたコネクタは、ケーブル収納時や機器の配線作業を行う際に、塵埃や傷が付かないように通常コネクタキャップで被覆されている。このようなコネクタキャップは、コネクタから取り外す際に、ケーブル本体からコネクタキャップのみ離脱するのを防止するために、脱落防止用ワイヤなどを介してケーブル本体に繋がれた状態になっている。また、脱落防止用ワイヤは、コネクタキャップの取り付け及び取り外しが容易に行え、また、取り外した際に、機器の運用の妨げにならないような適当な長さで形成されている。
【０００３】
ここで、従来のコネクタキャップのケーブル取付構造について図面を参照して説明する。図７は従来のコネクタキャップのケーブル取付構造を示す正面図であり、図８は図７のコネクタキャップ１０３の構成を示す正面図及び平面図であり、また、図９は図８のケーブル連結金具１０６の詳細を示す正面図及び平面図である。図８に示すように、コネクタキャップ１０３は、脱落防止用ロープ１０４の片方の端に加締められたキャップ取付金具１０５を介して加締め或いは熱溶着などの方法で脱落防止用ロープ１０４に繋がれている。また、脱落防止用ロープ１０４のもう一方の端には、コネクタキャップ１０３を脱落防止用ロープ１０４を介してケーブル１０１に連結するためのケーブル連結金具１０６が加締められている。
【０００４】
また、図７に示すように、ケーブル１０１には、ケーブル１０１とケーブル１０１の先端に設けられたコネクタ１０２とを連結する部分を保護するために、ゴム系、またはウレタン系の樹脂成形によって形成された部品（以下、ブーツと称する）１０８が取り付けられており、そのブーツ１０８には、貫通穴を有するフック部１０９が形成されている。そこで、脱落防止用ロープ１０４に取り付けられたケーブル連結金具１０６に金属製の結合用リング１０７を取り付け、その結合用リング１０７をブーツ１０８のフック部１０９に引っ掛けることによって、コネクタキャップ１０３が脱落防止用ロープ１０４を介してケーブル１０１に保持される構造となっている。
【０００５】
また、他のコネクタキャップのケーブル取付構造として、光ファイバ導線コネクタの保護スリーブ（前記ブーツに相当）において、該保護スリーブの外壁に軟質線体が連設され、該軟質線体の末端がコネクタ末端を被覆可能な防塵キャップに連接される構造とすることにより、該保護スリーブは光ファイバ導線コネクタを保護する作用を有するほかに、防塵キャップによりこのコネクタの末端を保護して防塵の作用を達成している例がある。（例えば、特許文献１参照）。
【０００６】
【特許文献１】特開２００３−１９５０９９号公報
【発明の開示】
【発明が解決しようとする課題】
【０００７】
しかしながら、図７に示すような構造においては、ブーツ１０８がゴム系、またはウレタン系の樹脂成形によって形成されることから、ブーツ１０８のフック部１０９の穴に結合用リング１０７を通すことにより、結合用リング１０７がフック部１０９の穴の中で回転等の動きを発生させ、フック部１０９の磨耗、破損等を引き起こす恐れがあった。
また、屋外で使用されるケーブルの場合、用途によっては、全長が数十メートルにも及ぶものがあり、ケーブルの敷設作業時、または、運用中に、ケーブルが地面を引き摺り回されることから、樹脂成形により形成されるブーツのフック部１０９や特許文献１の保護スリーブの軟質線体では、取り扱い上、破損に繋がる事態が十二分に予想される。
【０００８】
本発明は、上記実情に鑑みて為されたもので、屋外で使用されるケーブル先端に設けられたコネクタのコネクタキャップのケーブル取付構造において、取り扱い環境において頑丈であり、製造上の組立作業性、品質信頼性、及び取扱い上の安全性を向上させことが可能なコネクタキャップのケーブル取付構造を提供することを目的とする。
【課題を解決するための手段】
【０００９】
このため、本発明では、ケーブル先端に設けられたコネクタを被覆するコネクタキャップのケーブル取付構造であって、コネクタキャップと、ケーブルを弾性的に挟み込んで保持するケーブルクランプと、前記コネクタキャップに片端が固定され、もう一方の端に前記ケーブルクランプとの連結手段を有するロープと、前記ケーブルに前記ケーブルクランプを固定するとともに、前記連結手段を前記ケーブルクランプに回転可能に固定する固定手段と、を備えたことを特徴とする。
【発明の効果】
【００１０】
本発明によれば、ケーブル先端に設けられたコネクタを被覆するコネクタキャップのケーブル取付構造を、コネクタキャップと、ケーブルを弾性的に挟み込んで保持するケーブルクランプと、前記コネクタキャップに片端が固定され、もう一方の端に前記ケーブルクランプとの連結手段を有するロープと、前記ケーブルに前記ケーブルクランプを固定するとともに、前記連結手段を前記ケーブルクランプに回転可能に固定する固定手段と、を備えた構成としたので、ケーブルクランプを使ってケーブルにコネクタキャップを頑丈に固定することができ、ケーブルの敷設作業時及び運用中でのコネクタキャップの破損やケーブルからの脱落を防止することができることから、信頼性の向上に繋がるという優れた効果を発揮する。更に、コネクタキャップをケーブルに繋いでいるロープの連結手段がケーブルクランプに回転可能に固定される構成としたので、取り扱い上の安全性向上が図れるという優れた効果を発揮する。
【発明を実施するための最良の形態】
【００１１】
本発明の実施の形態について図面を参照しながら説明する。
【００１２】
本発明のケーブル先端に設けられたコネクタを被覆するコネクタキャップのケーブル取付構造は、コネクタキャップと、ケーブルを弾性的に挟み込んで保持するケーブルクランプと、前記コネクタキャップに片端が固定され、もう一方の端に前記ケーブルクランプとの連結手段を有するロープと、前記ケーブルに前記ケーブルクランプを固定するとともに、前記連結手段を前記ケーブルクランプに回転可能に固定する固定手段と、を備えた構成としたので、ケーブルクランプを使ってケーブルにコネクタキャップを頑丈に固定することができ、ケーブルの敷設作業時及び運用中でのコネクタキャップの破損やケーブルからの脱落を防止することができるものである。更に、コネクタキャップをケーブルに繋いでいるロープの連結手段がケーブルクランプに回転可能に固定される構成としたので、取り扱い上の安全性向上が図れるものである。
【００１３】
まず、本発明の第１の実施の形態について図を参照して詳細に説明する。図１は本発明の第１の実施の形態に係るコネクタキャップのケーブル取付構造を示す正面図であり、図２は図１のＡ部の構成を示す説明図である。また、図３は図２のケーブルクランプ１１の詳細を示す正面図、側面図及び斜視図である。
【００１４】
図１及び図２に示すように、コネクタキャップ１０３からキャップ取付金具１０５、脱落防止用ロープ１０４及びケーブル連結金具１０６へと繋がる構成は従来と同様であるが、ケーブル連結金具１０６をケーブルクランプ１１を介してケーブル１０１に保持させる構造（図１のＡ部）が従来と異なっている。ケーブル連結金具１０６をケーブル１０１に取り付ける際には、図２に示すように、まず、図３のプラスチック製のケーブルクランプ１１のネジ止め用穴１１ａの付いた重なり部分を開き、ケーブル１０１に挟み込んだ後、ネジ１２の先端をケーブルクランプ１１のネジ止め用穴１１ａに片側から差し込み、ネジ止め用穴１１ａの反対側からとび出たネジ１２の先端に座金１３、ケーブル連結金具１０６、バネ座金１４の順に挿入し、ナット１５で締め付けることでケーブル１０１に固定される。尚、ケーブルクランプのケーブルを挟み込むための輪の大きさは、使用するケーブルの線径に合わせて適当に選択できるようになっている。これによって、ケーブルクランプでケーブルにコネクタキャップを頑丈に固定することができ、ケーブルの敷設作業時及び運用中でのコネクタキャップの破損やケーブルからの脱落を防止することができる。
【００１５】
次に、本発明の第２の実施の形態について図を参照して詳細に説明する。図４は本発明の第２の実施の形態に係るコネクタキャップのケーブル取付構造を示す正面図であり、図５は図４のＢ部の構成を示す説明図である。また、図６は図５のカラー１６の詳細を示す正面図及び断面図である。
【００１６】
図４及び図５に示すように、コネクタキャップ１０３からキャップ取付金具１０５、脱落防止用ロープ１０４及びケーブル連結金具１０６へと繋がる構成は従来と同様であるが、ケーブル連結金具１０６をケーブルクランプ１１を介してケーブル１０１に保持させる構造（図４のＢ部）が従来と異なっている。ケーブル連結金具１０６をケーブル１０１に取り付ける際には、図５に示すように、まず、図３のプラスチック製のケーブルクランプ１１のネジ止め用穴１１ａの付いた重なり部分を開き、ケーブル１０１に挟み込んだ後、ネジ１２の先端をケーブルクランプ１１のネジ止め用穴１１ａに片側から差し込み、ネジ止め用穴１１ａの反対側からとび出たネジ１２の先端に座金１３、ケーブル連結金具１０６、カラー１６、バネ座金１４の順に挿入し、ナット１５で締め付けることでケーブル１０１に固定される。ここで、図９に示すように、ケーブル連結金具１０６の穴径をｄ、厚さをｔとし、また、図６に示すように、カラー１６の軸径をＤ、段差をＨとした場合、ケーブル連結金具１０６の穴径ｄとカラー１６の軸径Ｄの関係は数１とする。
【００１７】
【数１】
2006278211.tif 000003
【００１８】
また、カラー１６の段差Ｈとケーブル連結金具１０６の厚さｔの関係は数２とする。
【００１９】
【数２】
2006278211.tif 000004
【００２０】
数１及び数２の関係を満たすことによって、ケーブル連結金具１０６を図４のＪ方向に自由に回転させることができるようになる。これによって、ケーブルクランプでケーブルにコネクタキャップを頑丈に固定することができ、ケーブルの敷設作業時及び運用中でのコネクタキャップの破損やケーブルからの脱落を防止することができる。更に、コネクタキャップをケーブルに繋いでいるロープの連結手段が自由に回転することができるので、取り扱い上の安全性向上が図れる。
【図面の簡単な説明】
【００２１】
【図１】本発明の第１の実施の形態に係るコネクタキャップのケーブル取付構造を示す正面図である。
【図２】図１のＡ部の構成を示す説明図である。
【図３】図２のケーブルクランプ１１の詳細を示す正面図、側面図及び斜視図である。
【図４】本発明の第２の実施の形態に係るコネクタキャップのケーブル取付構造を示す正面図である。
【図５】図４のＢ部の構成を示す説明図である。
【図６】図５のカラー１６の詳細を示す正面図及び断面図である。
【図７】従来のコネクタキャップのケーブル取付構造を示す正面図である。
【図８】図７のコネクタキャップ１０３の構成を示す正面図及び平面図である。
【図９】図８のケーブル連結金具１０６の詳細を示す正面図及び平面図である。
【符号の説明】
【００２２】
１１…ケーブルクランプ、  １１ａ…ネジ止め用穴、  １２…ネジ、  １３…座金、  １４…バネ座金、  １５…ナット、  １６…カラー、
１０１…ケーブル、  １０２…コネクタ、  １０３…コネクタキャップ、  １０４…脱落防止用ロープ、  １０５…キャップ取付金具、  １０６…ケーブル連結金具、  １０７…結合用リング、  １０８…ブーツ、  １０９…フック部
【図１】
2006278211.tif 000005
【図２】
2006278211.tif 000006
【図３】
2006278211.tif 000007
【図４】
2006278211.tif 000008
【図５】
2006278211.tif 000009
【図６】
2006278211.tif 000010
【図７】
2006278211.tif 000011
【図８】
2006278211.tif 000012
【図９】
2006278211.tif 000013